(57)【特許請求の範囲】
【請求項１】
複数の記録紙を所定の位置に積重可能な記録紙積重手段と、
積重された前記複数の記録紙の最上位の記録紙を給紙路に給紙可能な給紙手段と、前記複数の記録紙の始端位置を規制する面を有する記録紙束始端規制面と、前記給紙手段によって前記最上位の記録紙を給紙した後、前記複数の記録紙の始端位置を、前記記録紙束始端位置規制面まで押し戻す紙戻し部材とを備えた自動給紙装置であって、
回転軸に軸支され、前記給紙手段と連動して回転する第１のカムと、該第１のカムと同じ回転軸に軸支され、前記第１のカムと一体に構成されている第２のカムと、前記第１のカムの外周面に摺接しつつ、該第１のカムの回転に従動して揺動することによって、前記紙戻し部材を回動可能な如く配設されている第１のカムフォロアと、前記第２のカムの外周面に摺接しつつ、該第２のカムの回転に従動して揺動することによって、前記紙戻し部材を回動可能な如く配設されている第２のカムフォロアとを備え、
前記第１のカムの外周面は、前記第１のカムフォロアが当接して揺動することによって、前記紙戻し部材が、前記給紙路から退避する位置まで回動する形状を成す第１の領域と、前記回転軸から前記外周面までの長さが前記第１の領域より短く、前記第１のカムフォロアが離間した状態となる第２の領域とを有する形状を成し、
前記第２のカムの外周面は、前記第２のカムフォロアが当接して揺動することによって、前記紙戻し部材が、前記給紙路に突出して前記複数の記録紙の始端位置を前記記録紙束始端位置規制面まで押し戻す位置まで、回動する形状を成し、
前記第１の領域は、前記第１のカムの回転軸からの長さが相対的に異なる領域を有する形状を成し、相対的に前記第１のカムの回転軸からの長さが短い領域に、前記第１のカムフォロアが当接した状態で、前記紙戻し部材が給紙した記録紙に触れる位置まで上昇する、ことを特徴とした自動給紙装置。
【請求項２】
複数の記録紙を積重可能な給紙トレイと、該給紙トレイに積重された前記複数の記録紙の最上位の記録紙に当接して回転することによって、該最上位の記録紙を給紙路に給紙可能な略Ｄ型の側面視形状を有する給紙ローラと、前記最上位の記録紙を、前記給紙ローラに当接させる如く、前記複数の記録紙を押し上げることが可能な構造を有するホッパーと、前記ホッパーの副走査方向下流側に、前記給紙ローラに付勢された状態で配設され、表面の摩擦抵抗によって、給紙路に給紙される前記最上位の記録紙を、前記複数の記録紙から分離する分離パッドと、前記ホッパーと前記分離パッドとの間に配設され、前記複数の記録紙の始端位置を規制する面を有する記録紙束始端規制面と、前記ホッパーと前記分離パッドとの間に配設され、前記給紙ローラにて前記最上位の記録紙を給紙した後、始端が前記分離パッド側に移動している該複数の記録紙の始端位置を、前記記録紙束始端位置規制面まで押し戻す紙戻し部材とを備えた自動給紙装置であって、
回転軸に軸支され、前記給紙ローラと連動して回転する第１のカムと、該第１のカムと同じ回転軸に軸支され、前記第１のカムと一体に構成されている第２のカムと、前記第１のカムの外周面に摺接しつつ、該第１のカムの回転に従動して揺動することによって、前記紙戻し部材を回動可能な如く配設されている第１のカムフォロアと、前記第２のカムの外周面に摺接しつつ、該第２のカムの回転に従動して揺動することによって、前記紙戻し部材を回動可能な如く配設されている第２のカムフォロアとを備え、
前記第１のカムの外周面は、前記第１のカムフォロアが当接して揺動することによって、前記紙戻し部材が、前記給紙路から退避する位置まで回動する形状を成す第１の領域と、前記回転軸から前記外周面までの長さが前記第１の領域より短く、前記第１のカムフォロアが離間した状態となる第２の領域とを有する形状を成し、
前記第２のカムの外周面は、前記第２のカムフォロアが当接して揺動することによって、前記紙戻し部材が、前記給紙路に突出して前記複数の記録紙の始端位置を前記記録紙束始端位置規制面まで押し戻す位置まで、回動する形状を成し、
前記第１の領域は、前記第１のカムの回転軸からの長さが相対的に異なる領域を有する形状を成し、相対的に前記第１のカムの回転軸からの長さが短い領域に、前記第１のカムフォロアが当接した状態で、前記紙戻し部材が給紙した記録紙に触れる位置まで上昇する、
ことを特徴とした自動給紙装置。
【請求項３】
請求項１または２において、前記第１の領域は、前記第１のカムの回転方向に向かって、該第１のカムの回転軸からの距離が相対的に短くなっていく形状を成している、ことを特徴とした自動給紙装置。
【請求項４】
複数の記録紙を所定の位置に積重可能な記録紙積重手段と、
積重された前記複数の記録紙の最上位の記録紙を給紙路に給紙可能な給紙手段と、前記複数の記録紙の始端位置を規制する面を有する記録紙束始端規制面と、前記給紙手段によって前記最上位の記録紙を給紙した後、前記複数の記録紙の始端位置を、前記記録紙束始端位置規制面まで押し戻す紙戻し部材とを備えた自動給紙装置であって、
回転軸に軸支され、前記給紙手段と連動して回転する第１のカムと、該第１のカムと同じ回転軸に軸支され、前記第１のカムと一体に構成されている第２のカムと、前記第１のカムの外周面に摺接しつつ、該第１のカムの回転に従動して揺動することによって、前記紙戻し部材を回動可能な如く配設されている第１のカムフォロアと、前記第２のカムの外周面に摺接しつつ、該第２のカムの回転に従動して揺動することによって、前記紙戻し部材を回動可能な如く配設されている第２のカムフォロアとを備え、
前記第１のカムの外周面は、前記第１のカムフォロアが当接して揺動することによって、前記紙戻し部材が、前記給紙路から退避する位置まで回動する形状を成す第１の領域と、前記回転軸から前記外周面までの長さが前記第１の領域より短く、前記第１のカムフォロアが離間した状態となる第２の領域とを有する形状を成し、
前記第２のカムの外周面は、前記第２のカムフォロアが当接して揺動することによって、前記紙戻し部材が、前記給紙路に突出して前記複数の記録紙の始端位置を前記記録紙束始端位置規制面まで押し戻す位置まで、回動する形状を成し、
前記紙戻し部材は、前記複数の記録紙の始端位置を押し上げる板部と、前記第１のカムフォロア及び前記第２のカムフォロアの揺動によって回動する力が作用する作用部とが別部材で構成されており、前記板部と前記作用部との連結部分は、ねじりコイルばねで挟持され、該ねじりコイルばねのばね力によって一体に連結されつつ、該板部と該作用部それぞれに相反する力が作用した際に、該板部と該作用部とが相反する方向に回動可能に構成されている、ことを特徴とした自動給紙装置。
【請求項５】
複数の記録紙を積重可能な給紙トレイと、該給紙トレイに積重された前記複数の記録紙の最上位の記録紙に当接して回転することによって、該最上位の記録紙を給紙路に給紙可能な略Ｄ型の側面視形状を有する給紙ローラと、前記最上位の記録紙を、前記給紙ローラに当接させる如く、前記複数の記録紙を押し上げることが可能な構造を有するホッパーと、前記ホッパーの副走査方向下流側に、前記給紙ローラに付勢された状態で配設され、表面の摩擦抵抗によって、給紙路に給紙される前記最上位の記録紙を、前記複数の記録紙から分離する分離パッドと、前記ホッパーと前記分離パッドとの間に配設され、前記複数の記録紙の始端位置を規制する面を有する記録紙束始端規制面と、前記ホッパーと前記分離パッドとの間に配設され、前記給紙ローラにて前記最上位の記録紙を給紙した後、始端が前記分離パッド側に移動している該複数の記録紙の始端位置を、前記記録紙束始端位置規制面まで押し戻す紙戻し部材とを備えた自動給紙装置であって、
回転軸に軸支され、前記給紙ローラと連動して回転する第１のカムと、該第１のカムと同じ回転軸に軸支され、前記第１のカムと一体に構成されている第２のカムと、前記第１のカムの外周面に摺接しつつ、該第１のカムの回転に従動して揺動することによって、前記紙戻し部材を回動可能な如く配設されている第１のカムフォロアと、前記第２のカムの外周面に摺接しつつ、該第２のカムの回転に従動して揺動することによって、前記紙戻し部材を回動可能な如く配設されている第２のカムフォロアとを備え、
前記第１のカムの外周面は、前記第１のカムフォロアが当接して揺動することによって、前記紙戻し部材が、前記給紙路から退避する位置まで回動する形状を成す第１の領域と、前記回転軸から前記外周面までの長さが前記第１の領域より短く、前記第１のカムフォロアが離間した状態となる第２の領域とを有する形状を成し、
前記第２のカムの外周面は、前記第２のカムフォロアが当接して揺動することによって、前記紙戻し部材が、前記給紙路に突出して前記複数の記録紙の始端位置を前記記録紙束始端位置規制面まで押し戻す位置まで、回動する形状を成し、
前記紙戻し部材は、前記複数の記録紙の始端位置を押し上げる板部と、前記第１のカムフォロア及び前記第２のカムフォロアの揺動によって回動する力が作用する作用部とが別部材で構成されており、前記板部と前記作用部との連結部分は、ねじりコイルばねで挟持され、該ねじりコイルばねのばね力によって一体に連結されつつ、該板部と該作用部それぞれに相反する力が作用した際に、該板部と該作用部とが相反する方向に回動可能に構成されている、ことを特徴とした自動給紙装置。
【請求項６】
複数の記録紙を所定の位置に積重可能な記録紙積重手段と、
積重された前記複数の記録紙の最上位の記録紙を給紙路に給紙可能な給紙手段と、前記複数の記録紙の始端位置を規制する面を有する記録紙束始端規制面と、前記給紙手段によって前記最上位の記録紙を給紙した後、前記複数の記録紙の始端位置を、前記記録紙束始端位置規制面まで押し戻す紙戻し部材とを備えた自動給紙装置であって、
回転軸に軸支され、前記給紙手段と連動して回転する第１のカムと、該第１のカムと同じ回転軸に軸支され、前記第１のカムと一体に構成されている第２のカムと、前記第１のカムの外周面に摺接しつつ、該第１のカムの回転に従動して揺動することによって、前記紙戻し部材を回動可能な如く配設されている第１のカムフォロアと、前記第２のカムの外周面に摺接しつつ、該第２のカムの回転に従動して揺動することによって、前記紙戻し部材を回動可能な如く配設されている第２のカムフォロアとを備え、
前記第１のカムの外周面は、前記第１のカムフォロアが当接して揺動することによって、前記紙戻し部材が、前記給紙路から退避する位置まで回動する形状を成す第１の領域と、前記回転軸から前記外周面までの長さが前記第１の領域より短く、前記第１のカムフォロアが離間した状態となる第２の領域とを有する形状を成し、
前記第２のカムの外周面は、前記第２のカムフォロアが当接して揺動することによって、前記紙戻し部材が、前記給紙路に突出して前記複数の記録紙の始端位置を前記記録紙束始端位置規制面まで押し戻す位置まで、回動する形状を成し、
前記給紙ローラの回転軸に構成されたカムと、該カムの回転によって回動可能に軸支されたロックレバーとを備え、給紙待機状態時に、該ロックレバーに形成されたロック部と、前記紙戻し部材の端部とが係合することによって、該紙戻し部材を副走査方向に回動しない状態にロックするとともに、該紙戻し部材と前記給紙ローラとの間の隙間がふさがれて、該隙間に前記複数の記録紙が挿入できない状態となる、ことを特徴とした自動給紙装置。
【請求項７】
複数の記録紙を積重可能な給紙トレイと、該給紙トレイに積重された前記複数の記録紙の最上位の記録紙に当接して回転することによって、該最上位の記録紙を給紙路に給紙可能な略Ｄ型の側面視形状を有する給紙ローラと、前記最上位の記録紙を、前記給紙ローラに当接させる如く、前記複数の記録紙を押し上げることが可能な構造を有するホッパーと、前記ホッパーの副走査方向下流側に、前記給紙ローラに付勢された状態で配設され、表面の摩擦抵抗によって、給紙路に給紙される前記最上位の記録紙を、前記複数の記録紙から分離する分離パッドと、前記ホッパーと前記分離パッドとの間に配設され、前記複数の記録紙の始端位置を規制する面を有する記録紙束始端規制面と、前記ホッパーと前記分離パッドとの間に配設され、前記給紙ローラにて前記最上位の記録紙を給紙した後、始端が前記分離パッド側に移動している該複数の記録紙の始端位置を、前記記録紙束始端位置規制面まで押し戻す紙戻し部材とを備えた自動給紙装置であって、
回転軸に軸支され、前記給紙ローラと連動して回転する第１のカムと、該第１のカムと同じ回転軸に軸支され、前記第１のカムと一体に構成されている第２のカムと、前記第１のカムの外周面に摺接しつつ、該第１のカムの回転に従動して揺動することによって、前記紙戻し部材を回動可能な如く配設されている第１のカムフォロアと、前記第２のカムの外周面に摺接しつつ、該第２のカムの回転に従動して揺動することによって、前記紙戻し部材を回動可能な如く配設されている第２のカムフォロアとを備え、
前記第１のカムの外周面は、前記第１のカムフォロアが当接して揺動することによって、前記紙戻し部材が、前記給紙路から退避する位置まで回動する形状を成す第１の領域と、前記回転軸から前記外周面までの長さが前記第１の領域より短く、前記第１のカムフォロアが離間した状態となる第２の領域とを有する形状を成し、
前記第２のカムの外周面は、前記第２のカムフォロアが当接して揺動することによって、前記紙戻し部材が、前記給紙路に突出して前記複数の記録紙の始端位置を前記記録紙束始端位置規制面まで押し戻す位置まで、回動する形状を成し、
前記給紙ローラの回転軸に構成されたカムと、該カムの回転によって回動可能に軸支されたロックレバーとを備え、給紙待機状態時に、該ロックレバーに形成されたロック部と、前記紙戻し部材の端部とが係合することによって、該紙戻し部材を副走査方向に回動しない状態にロックするとともに、該紙戻し部材と前記給紙ローラとの間の隙間がふさがれて、該隙間に前記複数の記録紙が挿入できない状態となる、ことを特徴とした自動給紙装置。
【請求項８】
請求項１〜７のいずれか１項において、前記自動給紙装置は、前記紙戻し部材が、前記複数の記録紙の始端位置を前記記録紙束始端位置規制面まで押し戻す位置に前記紙戻し部材を付勢する付勢手段を備える、ことを特徴とした自動給紙装置。
【請求項９】
請求項１〜８のいずれか１項において、前記紙戻し部材は、前記複数の記録紙の始端位置を押し上げる面と反対側の面に、給紙後、逆送した記録紙の終端が当接した際に、該記録紙の終端を上方に滑らせることが可能な段差のない斜面を有する突起部が形成されている、ことを特徴とした自動給紙装置。
【請求項１０】
請求項１〜９のいずれか１項において、前記紙戻し部材は、前記複数の記録紙の始端位置を押し上げる面の副走査方向側の端部に、前記最上位の記録紙を給紙中に前記複数の記録紙の一部が、前記給紙路に進入することを防止する凸部が形成されている、ことを特徴とした自動給紙装置。
【請求項１１】
請求項４〜１０のいずれか１項において、前記第１の領域は、前記第１のカムの回転軸からの長さが相対的に異なる領域を有する形状を成し、相対的に前記第１のカムの回転軸からの長さが短い領域に、前記第１のカムフォロアが当接した状態で、前記紙戻し部材が給紙した記録紙に触れる位置まで上昇する、
ことを特徴とした自動給紙装置。
【請求項１２】
複数の記録紙を所定の位置に積重可能な記録紙積重手段と、積重された前記複数の記録紙の最上位の記録紙を給紙路に給紙可能な給紙手段と、前記複数の記録紙の始端位置を規制する面を有する記録紙束始端規制面と、前記給紙手段によって前記最上位の記録紙を給紙した後、前記複数の記録紙の始端位置を、前記記録紙束始端位置規制面まで押し戻す、記録紙の給送経路を側視して回転可能な紙戻しレバーと、を備えた自動給紙装置であって、
回転軸に軸支され、前記給紙手段と連動して回転するカムと、
前記カムと係合するカムフォロア部を有し、前記カムの回転に従って揺動する揺動部材と、
前記揺動部材に設けられ、且つ、前記紙戻しレバーの回転中心から偏倚した位置に設けられる回転作用部と係合することにより、前記揺動部材の揺動に従って前記紙戻しレバーを回転させる紙戻しレバー回転部材と、を備え、
前記紙戻しレバー回転部材が、非定常的な負荷が掛かった際に、弾性的に変形する部材からなることを特徴とした自動給紙装置。
【請求項１３】
請求項１２において、前記紙戻しレバー回転部材が、ねじりばねからなることを特徴とした自動給紙装置。
【請求項１４】
請求項１〜１３のいずれか１項に記載の自動給紙装置を備えた記録装置。
【発明の詳細な説明】
【０００１】
【発明の属する技術分野】
本願発明は、給紙トレイに積重された複数の記録紙を、一枚ずつ給紙路に自動的に給紙する自動給紙装置、及び該自動給紙装置を備えた記録装置に関する。
【０００２】
【従来の技術】
インクジェット式記録装置等の記録装置は、自動給紙装置が搭載されているのが一般的である。この自動給紙装置は、ＡＳＦ（オート・シート・フィーダ）とも呼ばれ、給紙トレイに積重された複数の記録紙を、一枚ずつ給紙路に自動的に給紙するものである。このような自動給紙装置には、給紙トレイの他に、給紙トレイに積重された複数の記録紙の最上位の記録紙に当接して回転することによって、最上位の記録紙を給紙路に給紙する給紙ローラと、最上位の記録紙を給紙ローラに当接させる如く、複数の記録紙を押し上げるホッパーと、表面の摩擦抵抗によって、給紙路に給紙される最上位の記録紙を複数の記録紙と分離する分離パッド等を有している。
【０００３】
また、自動給紙装置は、複数の記録紙の始端位置を規制する記録紙束始端規制面を有しており、給紙トレイに積重された複数の記録紙の始端位置は、この記録紙束始端位置規制面にその始端位置を規制された状態で給紙トレイにセットされる。そして、ホッパーと分離パッドとの間には、給紙ローラにて最上位の記録紙を給紙した後、始端が分離パッドまで移動している複数の記録紙の始端位置を、記録紙束始端位置規制面まで押し戻す紙戻し部材が配設されている。
【０００４】
この紙戻し部材は、薄板状の部材を、その一端側を軸として回動可能に配設されている。給紙ローラの回転が、歯車等の回転機構によって伝達され、それによって紙戻し部材は、記録紙の給紙時には、給紙路から退避する位置まで回動する。また、紙戻し部材は、コイルばね等の付勢手段による付勢力によって、複数の記録紙の始端位置が記録紙束始端位置規制面に位置するまで、複数の記録紙を押し戻す回動位置に付勢されている。そして給紙後、紙戻し部材は、前記回転機構による紙送りローラの回転の伝達が解除され、付勢手段の付勢力によって、給紙トレイから給紙路にずれ込んでいる複数の記録紙の始端位置を記録紙束始端位置規制面まで押し戻しつつ、給紙路をふさぐ位置まで回動する。
【０００５】
【発明が解決しようとする課題】
ところで、このように付勢手段による付勢力によって、複数の記録紙を押し戻す構成を成しているので、当然の如く何十枚もの記録紙を押し上げるだけの強い付勢力で付勢する必要がある。そして、給紙後、回転機構による紙送りローラの回転の伝達が解除された時点で、その強い付勢力によって、紙戻し部材が一気に複数の記録紙を押し上げることになり、それによって、紙戻し部材から大きな耳障りな音が発生してしまうという問題が生じる。
【０００６】
さらに、近年のインクジェット式記録装置の記録実行のスループット性能が向上し、短時間に多くの枚数の記録紙に記録を実行することが可能になり、それによって、紙戻し部材の戻るときの大きな騒音が頻繁に発生してしまうことになる。
【０００７】
本願発明は、このような状況に鑑み成されたものであり、その課題は、紙戻し部材が、給紙トレイから給紙路にずれ込んでいる複数の記録紙の始端位置を記録紙束始端位置規制面まで押し戻す際に生じる音を、小さくした自動給紙装置を提供することである。
【０００８】
【課題を解決するための手段】
上記課題を達成するため、本発明の第１の態様は、複数の記録紙を所定の位置に積重可能な記録紙積重手段と、積重された前記複数の記録紙の最上位の記録紙を給紙路に給紙可能な給紙手段と、前記複数の記録紙の始端位置を規制する面を有する記録紙束始端規制面と、前記給紙手段によって前記最上位の記録紙を給紙した後、前記複数の記録紙の始端位置を、前記記録紙束始端位置規制面まで押し戻す紙戻し部材とを備えた自動給紙装置であって、回転軸に軸支され、前記給紙手段と連動して回転する第１のカムと、該第１のカムと同じ回転軸に軸支され、前記第１のカムと一体に構成されている第２のカムと、前記第１のカムの外周面に摺接しつつ、該第１のカムの回転に従動して揺動することによって、前記紙戻し部材を回動可能な如く配設されている第１のカムフォロアと、前記第２のカムの外周面に摺接しつつ、該第２のカムの回転に従動して揺動することによって、前記紙戻し部材を回動可能な如く配設されている第２のカムフォロアとを備え、前記第１のカムの外周面は、前記第１のカムフォロアが当接して揺動することによって、前記紙戻し部材が、前記給紙路から退避する位置まで回動する形状を成す第１の領域と、前記回転軸から前記外周面までの長さが前記第１の領域より短く、前記第１のカムフォロアが離間した状態となる第２の領域とを有する形状を成し、前記第２のカムの外周面は、前記第２のカムフォロアが当接して揺動することによって、前記紙戻し部材が、前記給紙路に突出して前記複数の記録紙の始端位置を前記記録紙束始端位置規制面まで押し戻す位置まで、回動する形状を成している、ことを特徴とした自動給紙装置である。
【０００９】
このように、紙戻し部材は、第１のカムと第１のカムフォロアによって、給紙路を形成する如く回動し、第２のカムと第２のカムフォロアによって、給紙路に突出して、複数の記録紙の始端位置を記録紙束始端位置規制面まで押し戻す如く回動し、付勢手段による強い付勢力を利用せずに回動する構成となっているので、紙戻し部材の回動時に発生する音を小さくすることができる。
【００１０】
つまり、従来コイルばね等のばね力によって、複数の記録紙の始端位置を前記記録紙束始端位置規制面まで押し戻す位置まで、紙戻し部材を回動させていたのに対して、第２のカムフォロアが揺動する力で、紙戻し部材を押し上げるので、付勢力によって瞬間的に強い力が紙戻し部材に作用して、大きな騒音が発生するといった虞がない。
【００１１】
これにより、本発明の第１の態様に係る自動給紙装置によれば、紙戻し部材が、給紙トレイから給紙路にずれ込んでいる複数の記録紙の始端位置を記録紙束始端位置規制面まで押し戻す際に生じる音を小さくすることができるという作用効果が得られる。
【００１２】
本発明の第２の態様は、複数の記録紙を積重可能な給紙トレイと、該給紙トレイに積重された前記複数の記録紙の最上位の記録紙に当接して回転することによって、該最上位の記録紙を給紙路に給紙可能な略Ｄ型の側面視形状を有する給紙ローラと、前記最上位の記録紙を、前記給紙ローラに当接させる如く、前記複数の記録紙を押し上げることが可能な構造を有するホッパーと、前記ホッパーの副走査方向下流側に、前記給紙ローラに付勢された状態で配設され、表面の摩擦抵抗によって、給紙路に給紙される前記最上位の記録紙を、前記複数の記録紙から分離する分離パッドと、前記ホッパーと前記分離パッドとの間に配設され、前記複数の記録紙の始端位置を規制する面を有する記録紙束始端規制面と、前記ホッパーと前記分離パッドとの間に配設され、前記給紙ローラにて前記最上位の記録紙を給紙した後、始端が前記分離パッド側に移動している該複数の記録紙の始端位置を、前記記録紙束始端位置規制面まで押し戻す紙戻し部材とを備えた自動給紙装置であって、回転軸に軸支され、前記給紙ローラと連動して回転する第１のカムと、該第１のカムと同じ回転軸に軸支され、前記第１のカムと一体に構成されている第２のカムと、前記第１のカムの外周面に摺接しつつ、該第１のカムの回転に従動して揺動することによって、前記紙戻し部材を回動可能な如く配設されている第１のカムフォロアと、前記第２のカムの外周面に摺接しつつ、該第２のカムの回転に従動して揺動することによって、前記紙戻し部材を回動可能な如く配設されている第２のカムフォロアとを備え、前記第１のカムの外周面は、前記第１のカムフォロアが当接して揺動することによって、前記紙戻し部材が、前記給紙路から退避する位置まで回動する形状を成す第１の領域と、前記回転軸から前記外周面までの長さが前記第１の領域より短く、前記第１のカムフォロアが離間した状態となる第２の領域とを有する形状を成し、前記第２のカムの外周面は、前記第２のカムフォロアが当接して揺動することによって、前記紙戻し部材が、前記給紙路に突出して前記複数の記録紙の始端位置を前記記録紙束始端位置規制面まで押し戻す位置まで、回動する形状を成している、ことを特徴とした自動給紙装置である。
【００１３】
このように、紙戻し部材は、第１のカムと第１のカムフォロアによって、給紙路を形成する如く回動し、第２のカムと第２のカムフォロアによって、給紙路に突出して、複数の記録紙の始端位置を記録紙束始端位置規制面まで押し戻す如く回動し、付勢手段による強い付勢力を利用せずに回動する構成となっているので、紙戻し部材の回動時に発生する音を小さくすることができる。
【００１４】
これにより、本発明の第２の態様に係る自動給紙装置によれば、第１の態様に記載の発明と同様に、紙戻し部材が、給紙トレイから給紙路にずれ込んでいる複数の記録紙の始端位置を記録紙束始端位置規制面まで押し戻す際に生じる音を小さくすることができるという作用効果が得られる。
【００１５】
本発明の第３の態様は、第１の又は第２の態様において、前記自動給紙装置は、前記紙戻し部材が、前記複数の記録紙の始端位置を前記記録紙束始端位置規制面まで押し戻す位置に前記紙戻し部材を付勢する付勢手段を備える、ことを特徴とした自動給紙装置である。
【００１６】
このように、紙戻し部材に付勢力を作用させることによって、第２のカムフォロアの押し上げ力と、付勢力との相互作用によって、紙戻し部材を回動させることになるので、第２のカムフォロアによる押し上げ動作の負担が軽減される。また、第２のカムフォロアの押し上げ力によって、紙戻し部材が回動し、複数の記録紙を押し上げる構成を成しているので、付勢手段の付勢力を弱く設定することができる。したがって、付勢手段の付勢力を弱く設定することができるので、付勢力が瞬間的に作用する力によって大きな音が発生することがない。
【００１７】
これにより、本発明の第３の態様に係る自動給紙装置によれば、第１の又は第２の態様に記載の発明による作用効果に加えて、紙戻し部材に弱い付勢力を作用するので、第２のカムフォロアによる押し上げ動作の負担が軽減されるという作用効果が得られる。
【００１８】
本発明の第４の態様は、第１〜第３の態様のいずれかにおいて、前記第１の領域は、前記第１のカムの回転軸からの長さが相対的に異なる領域を有する形状を成し、相対的に前記第１のカムの回転軸からの長さが短い領域に、前記第１のカムフォロアが当接した状態で、前記紙戻し部材が給紙した記録紙に触れる位置まで回動する、ことを特徴とした自動給紙装置である。
【００１９】
このように、第１のカムの外周面の第１の領域に、相対的に回転軸からの長さが異なる領域を設けることで、付勢手段の付勢力によって、紙戻し部材を所定の位置まで回動させることができるので、紙戻し部材が、複数の記録紙の始端位置を記録紙束始端位置規制面まで押し戻す動作を、段階的に行うことができる。そして、紙戻し部材を給紙した記録紙に触れる位置まで回動させることによって、他の記録紙が給紙路に進入する虞を少なくすることができる。また、段階的に紙戻し部材を回動させることによって、複数の記録紙の始端位置を記録紙束始端位置規制面まで押し戻す際に発生する音をより小さくすることができる。
【００２０】
これにより、本発明の第４の態様に係る自動給紙装置によれば、第１〜第３の態様のいずれかに記載の発明による作用効果に加えて、複数の記録紙が重なって給紙される虞を少なくすることができるとともに、複数の記録紙の始端位置を記録紙束始端位置規制面まで押し戻す際に発生する音をより小さくすることができるという作用効果が得られる。
【００２１】
本発明の第５の態様は、第４の態様において、前記第１の領域は、前記第１のカムの回転方向に向かって、該第１のカムの回転軸からの距離が相対的に短くなっていく形状を成している、ことを特徴とした自動給紙装置である。
【００２２】
このように、第１のカムの回転軸からの距離が相対的に短くなっていく形状を成しているので、付勢手段の付勢力によって、紙戻し部材を所定の位置までなめらかに回動させることができる。
【００２３】
これにより、本発明の第５の態様に係る自動給紙装置によれば、第４の態様に記載の発明による作用効果に加えて、紙戻し部材を所定の位置までなめらかに回動させることができるので、紙戻し部材が給紙した記録紙に触れる位置まで回動する動作時に発生する音を小さくすることができるという作用効果が得られる。
【００２４】
本発明の第６の態様は、第１〜第５の態様のいずれかにおいて、前記紙戻し部材は、前記複数の記録紙の始端位置を押し上げる板部と、前記第１のカムフォロア及び前記第２のカムフォロアの揺動によって回動する力が作用する作用部とが別部材で構成されており、前記板部と前記作用部との連結部分は、ねじりコイルばねで挟持され、該ねじりコイルばねのばね力によって一体に連結されつつ、該板部と該作用部それぞれに相反する力が作用した際に、該板部と該作用部とが相反する方向に回動可能に構成されている、ことを特徴とした自動給紙装置である。
【００２５】
本発明の第６の態様に係る自動給紙装置によれば、第１〜第５の態様のいずれかに記載の発明による作用効果に加えて、紙戻し部材の板部と作用部それぞれに相反する力が作用した際に、板部と作用部とが相反する方向に回動可能に構成されているので、板部と作用部それぞれに相反する力が作用した際に紙戻し部材が破損してしまう虞を少なくすることができるという作用効果が得られる。
【００２６】
本発明の第７の態様は、第１〜第６の態様のいずれかにおいて、前記紙戻し部材は、前記複数の記録紙の始端位置を押し上げる面と反対側の面に、給紙後、逆送した記録紙の終端が当接した際に、該記録紙の終端を上方に滑らせることが可能な段差のない斜面を有する突起部が形成されている、ことを特徴とした自動給紙装置である。
【００２７】
記録紙を給紙した後、記録紙の傾きを修正するスキュー取り動作等で、記録紙を副走査方向と逆方向に搬送した時に、記録紙の副走査方向の長さが非常に短いと、複数の記録紙の始端位置を押し上げた状態の紙戻し部材の裏面に、記録紙の終端が当たって引っかかってしまう虞がある。したがって、紙戻し部材の裏面に段差のない斜面を有する突起部が形成されていることによって、逆送した記録紙の終端が当接した際に、その記録紙の終端を上方に滑らせることできるので、記録紙の終端が引っかかってしまう虞を少なくすることができる。
【００２８】
これにより、本発明の第７の態様に係る自動給紙装置によれば、第１〜第６の態様のいずれかに記載の発明による作用効果に加えて、短尺な記録紙を逆送した際に、その終端が紙戻し部材の裏面に引っかかってしまう虞を少なくすることができるという作用効果が得られる。
【００２９】
本発明の第８の態様は、第１〜第７の態様のいずれかにおいて、前記紙戻し部材は、前記複数の記録紙の始端位置を押し上げる面の副走査方向側の端部に、前記最上位の記録紙を給紙中に前記複数の記録紙の一部が、前記給紙路に進入することを防止する凸部が形成されている、ことを特徴とした自動給紙装置である。
【００３０】
本発明の第８の態様に係る自動給紙装置によれば、第１〜第７の態様のいずれかに記載の発明による作用効果に加えて、複数の記録紙の始端位置を押し上げる面の副走査方向側の端部に、複数の記録紙の一部が給紙路に進入することを防止する凸部が形成されているので、複数の記録紙が紙戻し部材の上をすべるようにして給紙路に進入してしまう虞を少なくすることができるという作用効果が得られる。
【００３１】
本発明の第９の態様は、第１〜第８の態様のいずれかにおいて、前記自動給紙装置は、前記給紙ローラの回転軸に構成されたカムと、該カムの回転によって回動可能に軸支されたロックレバーとを備え、給紙待機状態時に、該ロックレバーに形成されたロック部と、前記紙戻し部材の端部とが係合することによって、該紙戻し部材を副走査方向に回動しない状態にロックするとともに、該紙戻し部材と前記給紙ローラとの間の隙間がふさがれて、該隙間に前記複数の記録紙が挿入できない状態となる、ことを特徴とした自動給紙装置である。
【００３２】
このように、ロックレバーに形成されているロック部と、紙戻し部材が係合することによって、紙戻し部材が副走査方向に回動しない状態にロックされるので、紙戻し部材を副走査方向に押して回動させながら、複数の記録紙が挿入されることを防止することができる。また、ロック部と紙戻し部材が係合した状態で、紙送りローラと紙戻し部材との間の隙間がふさがれるので、紙送りローラと紙戻し部材との間の隙間に複数の記録紙を挿入することを防止することができる。
【００３３】
これにより、本発明の第９の態様に係る自動給紙装置によれば、第１〜第８の態様のいずれかに記載の発明による作用効果に加えて、給紙ローラと紙戻し部材との間の隙間に、複数の記録紙が挿入されることによって、給紙機構が破損してしまうことを防止することができるという作用効果が得られる。
【００３４】
本発明の第１０の態様は、複数の記録紙を所定の位置に積重可能な記録紙積重手段と、積重された前記複数の記録紙の最上位の記録紙を給紙路に給紙可能な給紙手段と、前記複数の記録紙の始端位置を規制する面を有する記録紙束始端規制面と、前記給紙手段によって前記最上位の記録紙を給紙した後、前記複数の記録紙の始端位置を、前記記録紙束始端位置規制面まで押し戻す、記録紙の給送経路を側視して回転可能な紙戻しレバーと、を備えた自動給紙装置であって、回転軸に軸支され、前記給紙手段と連動して回転するカムと、前記カムと係合するカムフォロア部を有し、前記カムの回転に従って揺動する揺動部材と、前記揺動部材に設けられ、且つ、前記紙戻し部材の回転中心から偏倚した位置に設けられる回転作用部と係合することにより、前記揺動部材の揺動に従って前記紙戻しレバーを回転させる紙戻しレバー回転部材と、を備え、前記紙戻しレバー回転部材が、非定常的な負荷が掛かった際に、弾性的に変形する部材からなることを特徴とした自動給紙装置である。
【００３５】
本発明の第１０の態様に係る自動給紙装置によれば、紙戻しレバーを回転させる紙戻しレバー回転部材が、非定常的な負荷が掛かった際に、弾性的に変形する部材からなるので、これによって給紙機構が破損する不具合を防止することができる。即ち、例えば回転可能な紙戻しレバーが、紙ジャム等の原因によって拘束された状態のまま前記カムが回転すると、前記カムを回転させる機構に無理な力が掛かり、給紙機構を破損させる虞があるが、紙戻しレバーを回転させる紙戻しレバー回転部材は、非定常的な負荷が掛かった際に弾性的に変形する為、これによって上述の様な不具合を効果的に防止することができる。
【００３６】
本発明の第１１の態様は、第１０の態様において、前記紙戻しレバー回転部材が、ねじりばねからなることを特徴とした自動給紙装置である。本発明の第１１の態様に記載の発明に係る自動給紙装置によれば前記紙戻しレバー回転部材がねじりばねからなるので、前記紙戻しレバー回転部材を低コストに構成しつつ前述した第１０の態様記載の発明の作用効果を得ることができる。
【００３７】
本発明の第１２の態様は、第１〜第１１の態様のいずれかに記載の自動給紙装置を備えた記録装置である。第１２の態様に係る記録装置によれば、記録装置において、前述した第１〜第１１の態様のいずれかに記載の発明による作用効果を得ることができる。
【００３８】
【発明の実施の形態】
以下、本願発明の一実施の形態を図面に基づいて説明する。
図１は、本願発明に係るインクジェット式記録装置の一実施の形態を示した概略の平面図であり、図２はその側面図である。
【００３９】
インクジェット式記録装置５０には、普通紙等の記録紙Ｐに記録を実行する記録手段として、キャリッジガイド軸５１に軸支され、主走査方向Ｘに移動するキャリッジ６１が設けられている。キャリッジ６１には、記録紙Ｐにインクを吐出して記録を行う記録ヘッド６２が搭載されている。記録ヘッド６２と対向して、記録ヘッド６２のヘッド面と記録紙Ｐとのギャップを規定するプラテン５２が設けられている。そして、キャリッジ６１を主走査方向Ｘに搬送し、キャリッジ６１とプラテン５２の間に記録紙Ｐを副走査方向Ｙに搬送しながら、記録ヘッド６２が記録紙Ｐにインクを吐出することで記録紙Ｐに記録が行われる。
【００４０】
また、インクジェット式記録装置５０には、例えば普通紙やフォト紙等の記録紙Ｐを給紙可能な構成を有する本願発明に係る「自動給紙装置」としてのＡＳＦが設けられている。ＡＳＦは、給紙トレイ５８に設けられた給紙ローラ５７及び図示してない分離パッド等を有する給紙機構である。給紙ローラ５７は、ステッピング・モータ等の回転駆動力により回転制御され、Ｄ形の断面形状を有している。この給紙ローラ５７は、給紙トレイ５８の一方寄りに配置される。記録紙ガイド５９は、記録紙Ｐの幅に合わせて符号Ａで示した矢印の方向に摺動可能に給紙トレイ５８に設けられている。そして、給紙ローラ５７の回転駆動力と、分離パッドの摩擦抵抗により、給紙トレイ５８に置かれた複数の記録紙Ｐを給紙する際に、複数の記録紙Ｐが一度に給紙されることなく、１枚ずつ正確に自動給紙される。
【００４１】
そして、給紙された記録紙Ｐは、給紙ローラより副走査方向の下流側に配設された記録紙搬送手段により、記録実行領域側となる副走査方向Ｙの下流側に向けて、所定の紙送り量で間欠的に搬送される。
【００４２】
この記録紙Ｐを副走査方向Ｙに間欠的に搬送する記録紙搬送手段として、搬送駆動ローラ５３と搬送従動ローラ５４が設けられている。搬送駆動ローラ５３は、ステッピング・モータ等の回転駆動力により回転制御され、搬送駆動ローラ５３の回転により、記録紙Ｐは副走査方向Ｙに搬送される。搬送従動ローラ５４は複数設けられており、それぞれ個々に搬送駆動ローラ５３に付勢され、記録紙Ｐが搬送駆動ローラ５３の回転により搬送される際に、記録紙Ｐに接して記録紙Ｐの搬送に従動して回転する。
【００４３】
また、給紙ローラ５７と搬送駆動ローラ５３との間には、従来技術において公知の技術による紙検出器６３が配設されている。紙検出器６３は、立位姿勢への自己復帰習性が付与され、かつ記録紙搬送方向にのみ回動し得るよう記録紙Ｐの搬送経路内に突出する状態で枢支されたレバーを有し、このレバーの先端が記録紙Ｐに押されることでレバーが回動し、それによって記録紙Ｐが検出される構成を成す検出器である。
【００４４】
一方、記録された記録紙Ｐを排紙する手段として、排紙駆動ローラ５５と排紙従動ローラ５６が設けられている。排紙駆動ローラ５５は、ステッピング・モータ等の回転駆動力により回転制御され、排紙駆動ローラ５５の回転により、記録紙Ｐは副走査方向Ｙに排紙される。排紙従動ローラ５６は複数設けられ、周囲に複数の歯を有し、各歯の先端が記録紙Ｐの記録面に点接触するように鋭角的に尖っている歯付きローラとなっている。それぞれ個々に排紙駆動ローラ５５に搬送従動ローラ５４の付勢力よりも弱い付勢力で付勢され、記録紙Ｐが排紙駆動ローラ５５の回転により排紙される際に、記録紙Ｐに接して記録紙Ｐの排紙に従動して回転する。
【００４５】
図３は、本願発明に係る「自動給紙装置」としてのＡＳＦの要部を拡大して示した斜視図であり、図４は、その平面図であり、図５は、その側面図である。
【００４６】
同図は、給紙待機状態を示しており、給紙トレイ５８に積重された記録紙Ｐを給紙ローラ５７に付勢する如く上下動可能な構成を有するホッパー２５は、給紙待機状態時においては、図示の如く、下降した位置にある。記録紙束始端位置規制面３１は、給紙待機状態時においては、給紙トレイ５８に積重された複数の記録紙Ｐの始端に当接して、その位置を規制している。そして、紙戻し部材１は、給紙路をふさぐように給紙路に突出した位置に回動した状態で、記録紙Ｐが給紙路に挿入されることを防止している。
【００４７】
さらに紙戻し部材１は、図示していない、付勢手段によって、弱い付勢力で紙戻し方向に付勢されている。尚、この付勢力が強いと、紙戻し部材１が付勢力によって回動する際に大きな騒音が発生してしまう虞があるので、可能な限りにおいて、弱い付勢力であることが好ましく、また、その付勢力のみで、複数の記録紙Ｐの始端位置を記録紙束始端位置規制面３１まで戻すことが可能な付勢力は必要ない。
【００４８】
紙戻し部材１は、板部１１と、作用部１２との２つの部材で構成されており、回動可能にインクジェット式記録装置５０本体に軸支されている。この板部１１は、１つでもよいが、記録紙Ｐの戻しをより確実にするためには、複数個の板部１１が一体に形成されているほうが好ましい。板部１１と作用部１２との連結部分は、ねじりコイルばね１３で挟持され、ねじりコイルばね１３のばね力によって一体に連結されつつ、板部１１と作用部１２それぞれに相反する力が作用した際に、板部１１と作用部１２とが相反する方向に回動可能に構成されている。これによって、板部１１と作用部１２それぞれに相反する力が作用した際に紙戻し部材１が破損してしまう虞を少なくすることができる。
【００４９】
板部１１の裏面には、図示の如く、記録紙Ｐの終端を上方に滑らせることが可能な段差のない斜面を有する突起部１１１が形成されている。この突起部１１１によって、短尺な記録紙Ｐを逆送した際に、その終端が板部１１の裏面に引っかかってしまう虞を少なくすることができる。
【００５０】
また、ＡＳＦは、紙戻し部材１の作用部１２に機構的に連結され、紙戻し部材１を回動させる機構として、第１のカム２と、第１のカムフォロア３と、第２のカム４と、第２のカムフォロア５と、歯車６が図示の如く、配設されている。第１のカム２と第２のカム４、及び歯車６は一体に形成されており、給紙ローラ５７の回転が歯車６を介して第１のカム２及び第２のカム４に伝達される構成を成している。第１のカムフォロア３は、軸３ａに軸支されており、第１のカム２の回転によって軸３ａを支点にして揺動する。第２のカムフォロア５は、軸５ａに軸支されており、第２のカム４の回転によって軸５ａを支点にして揺動する。第１のカムフォロア３及び第２のカムフォロア５の揺動が、前述した紙戻し部材１の作用部１２に伝達され、それによって、紙戻し部材１が回動する。尚、第１のカム２と第１のカムフォロア３、及び第２のカム４と第２のカムフォロア５による紙戻し部材１の回動動作については後述で詳細に説明する。
【００５１】
そして、ＡＳＦは、給紙ローラ５７の回転軸である給紙ローラ軸５７１に、ロックレバー用カム２２が、図示の如く、給紙ローラ軸５７１に一体に形成されている。ロックレバー２１は、図示の如く、回動可能に軸２１ａに軸支された状態で、ロックレバー２１に形成されているカムフォロアとしてのボス２１２が、ロックレバー用カム２２に摺接した状態で配設されている。また、給紙待機状態時において、ロックレバー２１に形成されたロック部２１１は、図示の如く、紙戻し部材１と係合した状態で紙戻し部材１が副走査方向Ｙに回動することを防止している。
【００５２】
これによって、記録紙Ｐが、紙戻し部材１を押しながら強引に挿入されることを防止している。尚、ロックレバー用カム２２の回転によるロックレバー２１の回動動作、及びロックレバー２１と紙戻し部材１との関係については、後述で詳細に説明する。
【００５３】
さらに、ＡＳＦは、給紙トレイ５８に積重された記録紙Ｐの積重可能な総量以上の記録紙Ｐが積重されることを規制する記録紙総量規制部材２４と、給紙トレイ５８に積重された記録紙Ｐを、上面からホッパー２５に向けて誘導する可撓性を有する図示していないガイド部材とを備えている。
【００５４】
この記録紙総量規制部材２４によって、給紙トレイ５８に積重される記録紙Ｐの総量が規制されるので、積重可能な総量以上の記録紙Ｐが積重された状態から給紙動作を開始した時に給紙機構が破損してしまうことを防止することができる。また、給紙トレイ５８にセットされる記録紙Ｐを上面からホッパー２５に向けて誘導する可撓性を有するガイド部材によって、給紙トレイ５８に記録紙Ｐをセットする際に、給紙トレイ５８に面した給紙路の開口部の上方に位置する紙送りローラ５７と記録紙束始端位置規制面３１との間に、記録紙Ｐが挿入される虞を少なくすることができる。
【００５５】
さらに、第１のカムフォロア３には、引っ張りばね３１１の一端側が引っ張り部３１１ａに取り付けられている。そして、引っ張りばね３１１の他端側は、第１のカムフォロア３の引っ張り部３１１ａに弱い引っ張り力が作用する如く、インクジェット式記録装置５０の本体側の固定部３１１ｂに取り付けられている。この引っ張りばね３１１は、油等が付着して第１のカムフォロア３が上がりっぱなしになることを防止するためのものである。尚、この引っ張りばね３１１は、当該実施の形態においては、５ｇ前後の弱い荷重で、第１のカムフォロア３を略中立位置に安定させる如く取り付けられている。
【００５６】
次に、本願発明に係る「自動給紙装置」としてのＡＳＦによって、給紙トレイ５８に積重された記録紙Ｐが給紙される際の各部の動作について、図６〜図１０を参照しながら説明する。
図６は、給紙動作が開始され、給紙ローラ５７が回転し、記録紙Ｐに接した時点の状態を示したものである。
【００５７】
給紙ローラ軸５７１の両端部近傍には、図示していないホッパーカムが給紙ローラ軸５７１とともに回転する如く取り付けられている。また、ホッパー２５には、図示していない付勢手段によって、給紙トレイ５８に積重された記録紙Ｐを押し上げる付勢力が作用している。給紙待機状態時にホッパー２５は、ホッパーカムによって下方に押し下げたれた状態になっており、ホッパーカムが回転することによって、ホッパー２５は、その付勢力によって上昇する構成を成している。
【００５８】
したがって、まず、給紙待機状態から給紙ローラ５７が、符号Ｃで示した矢印の方向に回転し始めると、上述したホッパーカムが回転し、それによって、給紙トレイ５８に配設されているホッパー２５が、符号Ｂで示した矢印の方向に上昇し始める。
【００５９】
そして、給紙トレイ５８に積重されている複数の記録紙Ｐの最上面の記録紙Ｐが給紙ローラ５７に対して付勢された状態になる。また、同時に、給紙ローラ５７の外周面が記録紙Ｐに接するとともに、紙戻し部材１をロックしていたロックレバー２１が、符号Ｄで示した矢印の方向に上昇し、紙戻し部材１のロックが解除される。さらに、ロックレバー２１は、給紙ローラ軸５７１に一体に形成された給紙ローラ５７と一体に回転するロックレバー用カム２２の回転によって、ロックレバー２１に形成されているボス２１２が上方に押し上げられて、軸２１ａを支点として、符号Ｄで示した矢印の方向に回動して上昇する。
【００６０】
一方、給紙ローラ５７が回転し始めると、その回転に連動して第１のカム２及び第２のカム４も回転し始める。第１のカム２と第２のカム４は、歯車６と一体に形成されており、歯車６に給紙ローラ５７の回転が伝達されることによって、給紙ローラ５７が１回転すると第１のカム２及び第２のカム４も１回転するように構成されている。
【００６１】
第１のカム２の外周面は、第１のカムフォロア３が当接して揺動することによって、紙戻し部材１が、給紙路から退避する位置まで回動する形状を成す第１の領域４１と、第１のカム２の回転軸から外周面までの長さが、第１の領域４１より短く、第１のカムフォロア３が離間した状態となる第２の領域４２とを有する形状を成している。また、第１の領域４１の外周面は、第１のカム２の回転方向Ｅに向かって、第１のカム２の回転軸からの距離が相対的に短くなっていく形状を成している。したがって、符号４１１で示した領域が回転軸からの距離が最も長く、符号４１２で示した領域が回転軸からの距離が最も短い。第２のカム４の外周面は、第２のカムフォロア５が当接して揺動することによって、紙戻し部材１が、給紙路に突出して複数の記録紙Ｐの始端位置を記録紙束始端位置規制面３１まで押し戻す位置まで、回動する形状を成している。
【００６２】
第１のカム２が、符号Ｅで示した方向に回転し始めると、第１のカムフォロア３が第１のカム２の第１の領域４１に押されて、符号Ｆで示した矢印の方向に揺動し始める。そして、この揺動によって、紙戻し部材１が、符号Ｇで示した矢印の方向に回動し、給紙路から退避していく。また、第２のカム４も符号Ｅで示した矢印の方向に回転し始め、図示の如く、第２のカムフォロア５は、第２のカム４の外周面を離れフリーな状態になり、連結されている紙戻し部材１の回動にともなって、符号Ｈの矢印で示した方向に揺動する。
【００６３】
図７は、さらに給紙ローラ５７が回転し、最上位の記録紙Ｐ１と、次位以降の記録紙Ｐ２、Ｐ３・・・の数枚の重なった状態で給紙された記録紙Ｐが分離パッド３２に到達した時点の状態を示したものである。
【００６４】
給紙ローラ５７は、符号Ｃで示した矢印の方向に、さらに回転し、それによって、記録紙Ｐが給紙路に給紙されていく。その際、重なった状態の記録紙Ｐは、分離パッド３２の表面の摩擦抵抗によって分離され、最上面の記録紙Ｐのみが給紙される。また、第１のカム２及び第２のカム４も、符号Ｅで示した矢印の方向に、さらに回転し、第１のカムフォロア３は、第１のカムの第１の領域４１に接した状態となる。そして、第１のカムフォロア３は、符号Ｆで示した矢印の方向に、さらに揺動することとなり、それによって、紙戻し部材１は、図示の如く、給紙路から完全に退避した位置まで回動する。また、第２のカムフォロア５は、紙戻し部材１の回動にともなって、符号Ｈの矢印で示した方向に、さらに揺動することになる。
【００６５】
図８は、さらに給紙ローラ５７が回転し、給紙路に最上位の記録紙Ｐ１だけが給紙される時点の状態を示したものである。
【００６６】
給紙ローラ５７は、符号Ｃで示した矢印の方向に、さらに回転し、それによって、最上位の記録紙Ｐ１が、副走査方向Ｙに給紙されていく。また、第１のカム２及び第２のカム４も、符号Ｅで示した矢印の方向に、さらに回転し、第１のカムフォロア３は、第１のカム２の第１の領域４１の符号４１２で示した領域に接した状態となる。前述したように、符号４１２で示した領域は、符号４１１で示した領域よりも回転軸の中心からの距離が短い。したがって、第１のカムフォロア３は、その分だけ今度は、符号Ｌで示した方向に揺動可能な状態となる。そして、前述した付勢手段による弱い付勢力によって、紙戻し部材１は、図示の如く、その先端部分が給紙された記録紙Ｐに接する位置まで、符号Ｍで示した矢印の方向にわずかに回動する。この紙戻し部材１の先端部分には、図示の如く、上方に突起した形状を有する止め部１１２が形成されており、この止め部１１２によって、分離パッド３２近傍の記録紙Ｐ２、Ｐ３・・の一部が、給紙路に進入することを防止している。そして、ホッパー２５は、前述した給紙ローラ軸５７１の回転に基づく、図示していないホッパーカムの回転によって、符号Ｋで示した矢印の方向に押し下げられて所定のタイミングで下降する。
【００６７】
図９は、給紙路に給紙した最上位の記録紙Ｐ１の始端が、搬送駆動ローラ５３及び搬送従動ローラ５４（図２）を通過した後の状態を示したものである。
【００６８】
給紙ローラ５７は、符号Ｃで示した矢印の方向に、さらに回転し、それによって、記録紙Ｐ１が副走査方向Ｙに給紙され、給紙された記録紙Ｐ１の始端が、搬送駆動ローラ５３及び搬送従動ローラ５４にニップ（挟持）される。また、ロックレバー用カム２２は、ボス２１２が摺接しながら、ロックレバー２１を符号Ｎの矢印で示した方向に回動させる形状を成しており、それによって、ロックレバー２１が符号Ｎの矢印で示した方向に回動する。また、第１のカム２及び第２のカム４も、符号Ｅで示した矢印の方向に、さらに回転し、第１のカムフォロア３は、第１のカム２の第１の領域４１から離れて、第２の領域４２上を第１のカム２から離間した状態となる。それによって、紙戻し部材１は、前述した付勢手段の付勢力によって、符号Ｍの矢印で示した方向に回動する。そして、その紙戻し部材１の回動にともなって、第２のカムフォロア５は、符号Ｒの矢印で示した方向に揺動する。
【００６９】
図１０は、さらに給紙ローラ５７が回転し、給紙動作が完了した時点の状態を示したものである。
【００７０】
給紙ローラ５７は、符号Ｃで示した矢印の方向に、さらに回転し、給紙待機状態時の位置まで回転して停止する。ロックレバー２１は、符号Ｎの矢印で示した方向に、給紙した記録紙Ｐ１の表面に当接する位置まで回動する。この際、ロックレバー２１は、その軽い自重によって、記録紙Ｐ１上に軽く乗って接している状態であり、それによって記録紙Ｐ１にバックテンションが作用する虞は、ほとんど無い状態である。そして、この状態において、ロックレバー２１はフリーな状態であり、給紙した記録紙Ｐ１が搬送されてロックレバー２１を通過した後に、その自重によって下降し、紙戻し部材１と係合することになる。
【００７１】
また、第１のカム２及び第２のカム４も、符号Ｅで示した矢印の方向に、さらに回転し、第２のカムフォロア５は、第２のカム４に押されて、符号Ｒで示した矢印の方向に、さらに揺動する。そして、それによって、紙戻し部材１が符号Ｍの矢印で示した方向に回動し、回動した紙戻し部材１に押されて、分離パッド３２近傍の記録紙Ｐ２、Ｐ３・・・の始端位置が、記録紙束始端位置規制面３１まで押し戻される。
【００７２】
このようにして、第１のカム２と第１のカムフォロア３、及び第２のカム４と第２のカムフォロア５とによるカム機構によって紙戻し部材１を回動させるので、紙戻し部材１を強い付勢手段によって一気に回動させる従来の自動給紙装置と比較して、紙戻し部材１を回動させる際の音を、大幅に小さくすることができる。また、弱い付勢力を有する付勢手段にて紙戻し部材１を紙戻し方向に付勢することによって、給紙動作の途中において、紙戻し部材をわずかに回動させることが可能になり、それによって、給紙路に給紙中の記録紙Ｐ以外の記録紙Ｐが進入しないように給紙路の入り口を狭くすることができる。そして、それによって、複数の記録紙Ｐが重なって給紙されてしまう虞を、より少なくすることができる。
【００７３】
他の実施の形態としては、紙戻し部材１を紙戻し方向に付勢する弱い付勢力の付勢手段を設けないものが挙げられ、そのような態様においても本願発明の実施は可能であり、本願発明の作用効果を得ることができるものである。
【００７４】
ところで、上述した紙戻し部材（紙戻しレバー）１を回動させる機構として、以下に説明するカム機構を採用することもできる。当該カム機構を用いれば、紙戻し部材１に無理な力（非定常的な負荷）が掛かっても、給紙機構を破損させずに済むといった作用効果を得ることが可能となる。以下、当該カム機構について、図１１乃至図１４を参照しつつ説明する。ここで、図１１乃至図１４は当該カム機構の正面図であり、それぞれ異なる動作状態を示すものである。
【００７５】
先ず、カム機構の構成について説明する。図１１において、符号９１はカム歯車を示している。カム歯車９１は給紙ローラ軸５７１の軸端に取り付けられ、給紙ローラ５７と共に回転する様になっている。カム歯車９１の内側には、カム溝９１ａが形成されていて、該カム溝９１ａの内部に、後述する揺動部材９３に設けられるボス部９３ｂが遊挿された状態となっている。
【００７６】
カム溝９１ａは、より詳しくはカム歯車９１の回動中心を一巡する様な無端形状（ループ形状）をなす様に、カム歯車９１の円盤面に形成されていて、図示する様に回動中心から一定の距離を維持する円弧部分と、該円弧部分よりも径方向に離れた非円弧部分とを有している。したがって、カム歯車９１が回動すると、カム溝９１ａに遊挿されたボス部９３ｂは、カム歯車９１ａの回動中心に対して接近および離間する動作を繰り返すことになる。
【００７７】
次に、カム歯車９１の近傍には揺動部材９３が設けられている。揺動部材９３は揺動軸９３ａを有し、該揺動軸９３ａを中心に、図１１に示す時計方向および反時計方向に揺動可能となっている。揺動部材９３は揺動軸９３ａから離れた位置に前述したボス部９３ｂを有していて、従ってカム歯車９１が回動すると、ボス部９３ｂとカム溝９１ａとの係合によって図１１の時計方向および反時計方向に揺動する様になっている。尚、図から明らかに、ボス部９３ｂはカム溝９１ａによってその動きが拘束される為、従ってカム歯車９１が回動すると、揺動部材９３は、必ず揺動運動を行うことになる。
【００７８】
続いて、揺動軸９３ａから離れた位置には突起形状をなすばね保持部９３ｃが形成され、また、ばね保持部９３ｃのやや下方には、ばね拘束部９３ｄが形成されている。ばね保持部９３ｃには、「紙戻しレバー回転部材」としてのねじりばね９５が、その捻り部をばね保持部９３ｃに嵌合させる様に、且つ、ばね拘束部９３ｄをそのばね力によって両側から挟圧する様にして設けられている。また同時に、ねじりばね９５は、紙戻し部材１の回動軸１ａから偏倚した位置に設けられた作用部１ｂを、鋼線９５ａおよび９５ｂで両側から挟む様にして揺動部材９３に取り付けられている。
【００７９】
ここで、図１１と図１２との状態変化に示す様に、給紙ローラ５７の回動に伴ってカム歯車９１が回動すると、前述した通りカム溝９１ａ内をボス部９３ｂが相対的に動き、これにより、揺動部材９３が揺動軸９３ａを中心に図１１および図１２の時計方向および反時計方向に揺動する。すると、これに伴ってねじりばね９５も揺動する為、作用部１ｂを介してねじりばね９５の鋼線９５ａおよび９５ｂから外力を受ける紙戻し部材１は、図示する様に回動軸１ａを中心にして図１１および図１２の時計方向および反時計方向に回動する。
【００８０】
即ち、図１１は、紙戻し部材１が図５に示したと同様に給紙路を塞ぐ様に同給紙路に突出した状態（給紙待機状態）を示し、図１２は、紙戻し部材１が給紙路を開放する様に同給紙路から退避した状態（給紙可能状態）を示していて、紙戻し部材１は、カム歯車９１の回動によって図１１に示す状態と図１２に示す状態とを切り替える様になっている。そして、図１２に示す状態から図１１に示す状態となる様に回動することにより、重送されようとした記録紙Ｐを上方に押し戻す。
【００８１】
尚、上述の通り、ねじりばね９５のばね力は、紙戻し部材１に何らの負荷が掛かっていない状態の当該紙戻し部材１を回動させる場合、或いは、重送されようとした記録紙Ｐを上方に押し上げる際の当該紙戻し部材１を回動させる場合等の、所謂定常的な負荷状態では、鋼線９５ａおよび９５ｂのいずれかがばね拘束部９３ｄから離れて拡開せず、以て紙戻し部材１を回動させる様なばね力を有している。
【００８２】
次に、図１３および図１４をも参照しつつ、ねじりばね９５の作用効果について説明する。図１３は、図１１に示した給紙待機状態において、カム歯車９１（給紙ローラ５７）の回転によらないで、紙戻し部材１に直接外力を付与して、当該紙戻し部材１を回動させた状態を示している。即ち、紙戻し部材１はカム歯車９１の回動に伴って回動するが、この様に直接外力を付与することによっても回動させることができる。この様な状況は、例えば、ユーザが記録紙Ｐを無理に給紙方向に押し込んだ様な場合が考えられる。
【００８３】
ここで、「紙戻しレバー回転部材」としてのねじりばね９５が単純な剛体であると、紙戻し部材１に上述の様に無理な外力（即ち、非定常的な負荷）を付与すれば、前記剛体はその外力によって破損する虞もあり、或いは、紙戻し部材１に設けられた作用部１ｂや、揺動部材４３に設けられたばね保持部９３ｃ等が破損する虞もある。
【００８４】
しかし、「紙戻しレバー回転部材」としてのねじりばね９５は、紙戻し部材１に上述の様な無理な外力が付与されると、図１３に示す様にそのばね力に抗する方向に拡開し、これによって紙戻し部材１の回動動作を許可して、上述した様な破損の問題を防止する。つまり、その弾性によって紙戻し部材１を完全な拘束状態には置かない為、イレギュラー的な動作が生じても、カム機構の破損を防止することが可能となる。
【００８５】
次に、図１４は、給紙可能状態において紙戻し部材１の下方に例えば紙ジャム等の原因によって記録紙Ｐが滞留した状態を示している。この様に記録紙Ｐが紙戻し部材１の下方に滞留していると、当該記録紙Ｐによって紙戻し部材１の回動動作が妨げられることになり、従ってこの様な状態でカム歯車９１（給紙ローラ５７）が回動してしまうと、上述と同様にカム機構の破損を招く虞がある。
【００８６】
しかし、「紙戻しレバー回転部材」としてのねじりばね９５は、図１１から図１４への変化に示す様に、そのばね力に抗して拡開することによって、紙戻し部材１が記録紙Ｐに引っ掛かって回動しない状態のまま、カム歯車９１の回動を許可して、カム機構の破損を防止する。
【００８７】
即ち、この場合も図１１と図１３との比較において説明したと同様に、ねじりばね９５がその弾性によってカム歯車９１（紙戻し部材１）を完全な拘束状態には置かない為、イレギュラー的な動作が生じても、カム機構の破損を防止することが可能となる。
【００８８】
以上から明らかに、「紙戻しレバー回転部材」としてのねじりばね９５は、必ずしもねじりばね９５に限定されるものではなく、定常的な負荷が掛かった状態では剛体となって紙戻し部材１を回動させ、非定常的な負荷が掛かった場合には自ら弾性的に変形することによって紙戻し部材１或いはカム歯車９１を非拘束状態として、以てカム機構の破損を防止することができるものであれば、どの様なものであっても構わない。
【００８９】
加えて、本願発明はその他の構成要素についても上記実施例に限定されることなく、特許請求の範囲に記載した発明の範囲内で、種々の変形が可能であり、それらも本願発明の範囲内に含まれるものであることは言うまでもない。
【００９０】
【発明の効果】
本願発明によれば、紙戻し部材が、給紙トレイから給紙路にずれ込んでいる複数の記録紙の始端位置を記録紙束始端位置規制面まで押し戻す際に生じる音を、小さくした自動給紙装置を提供することができる。
【図面の簡単な説明】
【図１】本願発明に係るインクジェット式記録装置の一実施の形態を示した概略の平面図である。
【図２】本願発明に係るインクジェット式記録装置の一実施の形態を示した概略の側面図である。
【図３】本願発明に係る「自動給紙装置」としてのＡＳＦの要部を拡大して示した斜視図である。
【図４】本願発明に係る「自動給紙装置」としてのＡＳＦの要部を拡大して示した平面図である。
【図５】本願発明に係る「自動給紙装置」としてのＡＳＦの要部を拡大して示した側面図である。
【図６】本願発明に係る「自動給紙装置」としてのＡＳＦの要部を拡大して示した側面図であり、給紙動作が開始され、給紙ローラが回転し、記録紙に接した時点の状態を示したものである。
【図７】本願発明に係る「自動給紙装置」としてのＡＳＦの要部を拡大して示した側面図であり、重なった状態で給紙された記録紙が分離パッドに到達した時点の状態を示したものである。
【図８】本願発明に係る「自動給紙装置」としてのＡＳＦの要部を拡大して示した側面図であり、給紙路に最上位の記録紙だけが給紙される時点の状態を示したものである。
【図９】本願発明に係る「自動給紙装置」としてのＡＳＦの要部を拡大して示した側面図であり、給紙した最上位の記録紙の始端が、搬送駆動ローラ及び搬送従動ローラを通過した時点の状態を示したものである。
【図１０】本願発明に係る「自動給紙装置」としてのＡＳＦの要部を拡大して示した側面図であり、給紙動作が完了した時点の状態を示したものである。
【図１１】本願発明に係る「自動給紙装置」としての、他の実施形態に係るＡＳＦの要部を拡大して示した側面図である。
【図１２】本願発明に係る「自動給紙装置」としての、他の実施形態に係るＡＳＦの要部を拡大して示した側面図である。
【図１３】本願発明に係る「自動給紙装置」としての、他の実施形態に係るＡＳＦの要部を拡大して示した側面図である。
【図１４】本願発明に係る「自動給紙装置」としての、他の実施形態に係るＡＳＦの要部を拡大して示した側面図である。
【符号の説明】
１    紙戻し部材
２    第１のカム
３    第１のカムフォロア
４    第２のカム
５    第２のカムフォロア
６    歯車
１１  板部
１２  作用部
１３  ねじりコイルばね
２１  ロックレバー
２２  ロックレバー用カム
２３  ロックレバー支持部材
２４  記録紙総量規制部材
２５  ホッパー
２６  ガイド部材
３１  記録紙束始端位置規制面
３２  分離パッド
４１  第１の領域
４２  第２の領域
５０  インクジェット式記録装置
５１  キャリッジガイド軸
５２  プラテン
５３  搬送駆動ローラ
５４  搬送従動ローラ
５５  排紙駆動ローラ
５６  排紙従動ローラ
５７  給紙ローラ
５８  給紙トレイ
５９  記録紙ガイド
６１  キャリッジ
６２  記録ヘッド
６３  紙検出器
９１  カム歯車
９１ａ  カム溝
９３  揺動部材
９３ａ  揺動軸
９３ｂ  ボス部
９３ｃ  ばね保持部
９５  ねじりばね
９５ａ、９５ｂ  鋼線
１１１  突起部
１１２  止め部
２１１  ロック部
２１２  ボス
５７１  給紙ローラ軸
Ｐ    記録紙
Ｘ    主走査方向
Ｙ    副走査方向
【図１】
0003874103.tif 000002
【図２】
0003874103.tif 000003
【図３】
0003874103.tif 000004
【図４】
0003874103.tif 000005
【図５】
0003874103.tif 000006
【図６】
0003874103.tif 000007
【図７】
0003874103.tif 000008
【図８】
0003874103.tif 000009
【図９】
0003874103.tif 000010
【図１０】
0003874103.tif 000011
【図１１】
0003874103.tif 000012
【図１２】
0003874103.tif 000013
【図１３】
0003874103.tif 000014
【図１４】
0003874103.tif 000015